(57)【要約】【課題】本発明は、連結レバ−を用いることなく、レンズ駆動筒と入力伝達リングとを回動力伝達可能に連結できるレンズ鏡胴及びレンズユニットの提供を目的とする。【解決手段】レンズ群３１、３２を光軸方向に移動操作する回動自在なレンズ駆動筒５と、レンズ駆動筒５に回動力伝達可能に連結された回動自在な入力伝達リング４と、入力伝達リング４を回動駆動させるモータ６１とを備えている。レンズ駆動筒５は、光軸方向におけるモータ６１の一方側に配設されている。入力伝達リング４は、モータ６１に対してレンズ駆動筒５と同じ側となる前記一方側に配設されている。【選択図】図１
2015102649.tif 000002
【特許請求の範囲】
【請求項１】
モータと、前記モータに回動駆動され光軸まわりに回動自在な入力伝達リングと、前記入力伝達リングから回動力が伝達されるように前記入力伝達リングと連結されレンズを光軸方向に移動操作する回動自在なレンズ駆動筒とを備え、
前記レンズ駆動筒は、前記光軸方向における前記モータの一方側に配設され、
前記入力伝達リングは、前記モータに対して前記レンズ駆動筒と同じ側となる前記一方側に配設されていることを特徴とするレンズ鏡胴。
【請求項２】
前記モータに回動駆動され光軸まわりに回動自在なオート用入力リングと、前記入力伝達リングと前記オート用入力リングとを連動させる少なくとも３つの連動部材とを、更に備え、
前記各連動部材は、前記入力伝達リングに保持されたローラー軸と、前記ローラー軸に回動自在に支持された転動ローラーとを備え、
前記転動ローラーは、前記オート用入力リングの回動に伴って前記オート用入力リングを転動し、
前記入力伝達リングは、前記転動ローラーの転動に伴って前記光軸まわりに回動することを特徴とする請求項１記載のレンズ鏡胴。
【請求項３】
前記モータを制御する電装部材を、更に備え、
前記入力伝達リングとレンズ駆動筒とは、前記光軸方向における前記電装部材の一方側に配設され、
前記モータは、その一部又は全部が前記電装部材の周方向側に配設されていることを特徴とする請求項１又は２記載のレンズ鏡胴。
【請求項４】
固定筒を、更に備え、
前記レンズ駆動筒は、前記固定筒の外周側又は内周側に配設され、
前記入力伝達リングの一部又は全体が、前記レンズ駆動筒の外周側に配設されていることを特徴とする請求項１〜３の何れか一項に記載のレンズ鏡胴。
【請求項５】
前記レンズ駆動筒と前記入力伝達リングとの何れか一方は、係合凸部を備え、
前記何れか他方は、前記係合凸部に周方向移動不能に係合する係合凹部を備えていることを特徴とする請求項１〜４の何れか一項に記載のレンズ鏡胴。
【請求項６】
前記係合凸部は、前記何れか一方の周方向に沿ってほぼ等間隔に配設された２つから構成され、前記係合凹部は、前記何れか他方における前記係合凸部と対応する位置に配設された２つから構成されていることを特徴とする請求項５記載のレンズ鏡胴。
【請求項７】
前記係合凸部と係合凹部とは、前記光軸方向に移動可能に係合することを特徴とする請求項５又は６記載のレンズ鏡胴。
【請求項８】
請求項１〜７の何れか一項に記載のレンズ鏡胴と、
前記レンズ鏡胴の結像位置に受光面を配置し、物体の光学像を電気的な信号に変換する撮像素子とを備えていること
を特徴とするレンズユニット。
【発明の詳細な説明】
【技術分野】
【０００１】
本発明は、レンズ鏡胴及びレンズユニットに関するものである。
【背景技術】
【０００２】
レンズを光軸方向に移動操作する回動自在なレンズ駆動筒と、レンズ駆動筒に回転伝達可能に連結された回動自在な入力伝達リングと、入力伝達リングを回動駆動させるモータとを備えたレンズ鏡胴は、従来から知られており、例えば特許文献１に、そのようなレンズ鏡胴が開示されている。
【０００３】
特許文献１に開示されたレンズ鏡胴は、モータを挟んで光軸方向の一方側にレンズ駆動筒を、他方側に入力伝達リングを、それぞれ配設し、そして、２本の連結レバ−によって前記レンズ駆動筒と前記入力伝達リングとを回動力伝達可能に連結している。
【先行技術文献】
【特許文献】
【０００４】
【特許文献１】特開２０１２−２７０６０号公報
【発明の概要】
【発明が解決しようとする課題】
【０００５】
しかしながら、特許文献１では、モータを挟んで光軸方向の両側に配設されたレンズ駆動筒と入力伝達リングとを２本の連結レバ−によって連結しているため、２本の連結レバ−がモータに当たらないように、例えば連結レバ−がモータの径方向外側に配設されなければならない。このように連結レバ−がモータの径方向外側に配設されると、全体が大径化してしまう。一方、２本の連結レバ−がモータに当たらないようにモータの周方向側に配設することも可能であるが、モータの周方向側に配設すると連結レバ−の周方向側への回動範囲が制限されることになり、その結果、レンズ駆動筒の回動量の減少につながる。
【０００６】
又、レンズ駆動筒と入力伝達リングとを２本の連結レバ−によって連結しているため、入力伝達リングの回動に伴い２本の連結レバ−が同時にレンズ駆動筒にその回動力を伝達しなければならず、２本の連結レバ−をレンズ駆動筒と入力伝達リングとのそれぞれに高精度に取り付ける必要がある。
【０００７】
本発明は、連結レバ−を用いることなく、レンズ駆動筒と入力伝達リングとを回動力伝達可能に連結できるレンズ鏡胴及びレンズユニットの提供を目的とする。
【課題を解決するための手段】
【０００８】
本発明のレンズ鏡胴は、モータと、前記モータに回動駆動される回動自在な入力伝達リングと、前記入力伝達リングから回動力が伝達されるように前記入力伝達リングと連結されレンズを光軸方向に移動操作する回動自在なレンズ駆動筒とを備え、前記レンズ駆動筒は、前記光軸方向における前記モータの一方側に配設され、前記入力伝達リングは、前記モータに対して前記レンズ駆動筒と同じ側となる前記一方側に配設されていることを特徴とする。
【０００９】
この構成によれば、入力伝達リングはモータに対してレンズ駆動筒と同じ側となる光軸方向におけるモータの一方側に配設されているため、入力伝達リングとレンズ駆動筒とを直接連結することも可能になる。従って、従来のように連結レバ−を用いることなくレンズ駆動筒と入力伝達リングとを回動力伝達可能に連結できる。
【００１０】
他の一態様では、前記モータに回動駆動され光軸まわりに回動自在なオート用入力リングと、前記入力伝達リングと前記オート用入力リングとを連動させる少なくとも３つの連動部材とを、更に備え、前記各連動部材は、前記入力伝達リングに保持されたローラー軸と、前記ローラー軸に回動自在に支持された転動ローラーとを備え、前記転動ローラーは、前記オート用入力リングの回動に伴って前記オート用入力リングを転動し、前記入力伝達リングは、前記転動ローラーの転動に伴って前記光軸まわりに回動することを特徴とする。
【００１１】
この構成によれば、入力伝達リングはオート用入力リング及び連動部材を介してモータからの回動力を受けて容易に且つ確実に駆動される。
【００１２】
他の一態様では、前記モータを制御する電装部材を、更に備え、前記入力伝達リングとレンズ駆動筒とは、前記光軸方向における前記電装部材の一方側に配設され、前記モータは、その一部又は全部が前記電装部材の周方向側に配設されていることを特徴とする。
【００１３】
この構成によれば、入力伝達リングとレンズ駆動筒とは、電装部材に対して光軸方向の一方側に配設されているため、入力伝達リングとレンズ駆動筒とは電装部材と干渉することなく連結可能となる。
【００１４】
又、モータは、その一部又は全部が電装部材の周方向側に配設されているため、レンズ鏡胴の光軸方向の長さを抑えることができ、小型化できる。
【００１５】
他の一態様では、固定筒を、更に備え、前記レンズ駆動筒は、前記固定筒の外周側又は内周側に配設され、前記入力伝達リングの一部又は全体が、前記レンズ駆動筒の外周側に配設されていることを特徴とする。
【００１６】
この構成によれば、レンズ鏡胴の径方向の長さを抑えることができ、小型化できる。
【００１７】
他の一態様では、前記レンズ駆動筒と前記入力伝達リングとの何れか一方は、係合凸部を備え、前記何れか他方は、前記係合凸部に周方向移動不能に係合する係合凹部を備えていることを特徴とする。
【００１８】
この構成によれば、係合凸部と係合凹部とによって、入力伝達リングとレンズ駆動筒とは、確実に回動力伝達可能に連結される。又、入力伝達リングとレンズ駆動筒とが容易に回動力伝達可能に連結できる。
【００１９】
他の一態様では、前記係合凸部は、前記何れか一方の周方向に沿ってほぼ等間隔に配設された２つから構成され、前記係合凹部は、前記何れか他方における前記係合凸部と対応する位置に配設された２つから構成されていることを特徴とする。
【００２０】
この構成によれば、入力伝達リングからレンズ駆動筒に、効率よく回動力が伝達される。
【００２１】
他の一態様では、前記係合凸部と係合凹部とは、前記光軸方向に移動可能に係合することを特徴とする。
【００２２】
この構成によれば、入力伝達リングが光軸方向に規制されることがなく、入力伝達の効率を落とすことなく動作でき、円滑に回動できる。
【００２３】
又、本発明のレンズユニットは、上述の何れかのレンズ鏡胴と、前記レンズ鏡胴の結像位置に受光面を配置し、物体の光学像を電気的な信号に変換する撮像素子とを備えていることを特徴とする。
【００２４】
この構成によれば、入力伝達リングとレンズ駆動筒とを直接連結することも可能になり、従来のように連結レバ−を用いることなくレンズ駆動筒と入力伝達リングとを回動力伝達可能に連結し得るレンズユニットにできる。
【発明の効果】
【００２５】
本発明のレンズ鏡胴及びレンズユニットは、連結レバ−を用いることなく、レンズ駆動筒と入力伝達リングとを回動力伝達可能に連結できる。
【図面の簡単な説明】
【００２６】
【図１】本発明の一実施形態のレンズ鏡胴の断面図である。
【図２】図１のレンズ鏡胴に用いられる固定筒とオート用入力リングとレンズ駆動筒との組み付け状態を展開した側面図である。
【図３】図１のレンズ鏡胴に用いられる固定筒、レンズ駆動筒、入力伝達リング、マニュアル用入力リング及びオート用入力リングの分解斜視図である。
【図４】図１のレンズ鏡胴に用いられる固定筒の斜視図である。
【図５】図１のレンズ鏡胴に用いられるレンズ駆動筒の斜視図である。
【図６】図１のレンズ鏡胴に用いられるオート用入力リングの分解斜視図である。
【図７】他の実施形態のレンズ鏡胴の断面図である。
【図８】本発明のレンズ鏡胴を備えたレンズユニットの一実施形態の断面図である。
【発明を実施するための形態】
【００２７】
以下、本発明を実施するための形態について、図面を参照しながら詳細に説明する。図１は、本発明の一実施形態のレンズ鏡胴の断面図、図２は、図１のレンズ鏡胴に用いられる固定筒とオート用入力リングとレンズ駆動筒との組み付け状態を展開した側面図である。又、図３は、図１のレンズ鏡胴に用いられる固定筒、レンズ駆動筒、入力伝達リング、マニュアル用入力リング及びオート用入力リングの分解斜視図である。尚、図１〜図７におけるＸ−Ｙ方向を前後方向（光軸方向）とし、又、Ｘ方向を前方側（対物側）とし、Ｙ方向を後方側（像側）として説明する。
【００２８】
この実施形態のレンズ鏡胴１は、図１に示すように円筒状の固定筒２と、オートフォーカス動作部と、マニュアルフォーカス動作部と、入力伝達リング４と、レンズ駆動筒５と、レンズ保持部材７と、レンズ群３１、３２とを備えている。
【００２９】
固定筒２は、図３、図４に示すように、後部側に、軸方向（光軸方向）に延ばされた３つの直進案内溝２２と、レンズ駆動筒５とバヨネット係合するためのバヨネット係合用凸部２３とを備えている。直進案内溝２２は、レンズ群３１、３２を光軸方向に案内するためのもので、周方向に沿って等間隔に配設されている。
【００３０】
この固定筒２の外周側には、図１に示すように円筒状のカバー２１が配設されており、固定筒２は、その外周側がカバー２１によって覆われている。
【００３１】
オートフォーカス動作部は、図３に示すようにモータ６１と、制御部６２と、オート用入力リング６３とを備えている。モータ６１は、この実施形態では、回転軸（図示せず）と、回転軸に連結された減速用ギア６１ｂを備えている。減速用ギア６１ｂは、出力ギア６１ｃを備えている。
【００３２】
そして、このモータ６１は、回転軸が固定筒２の外側に光軸と平行になるようにするとともに、出力ギア６１ｃが後側になるようにして、固定筒２に取り付けられている。
【００３３】
なお、モータ６１は、ステッピングモータ、ＤＣモータ、棒状超音波モータ等でもよく、適宜変更して使用できる。又、モータ６１は、減速用ギア６１ｂを有する形態のものに限らず、適宜変更でき、例えば減速用ギアを設けずに、出力ギア６１ｃが回転軸に直接連結されたものでもよい。
【００３４】
制御部６２は、例えばモータ６１と通電可能に接続されてモータ６１の制御等を行なう。この制御部６２は、固定筒２の外周側におけるモータ６１の周方向側に、モータ６１の近傍に互いに周方向に隣接するようにして配設されて固定筒２に取付けられている。尚、図２では、制御部６２の基板のみ表し、基板に配設された電子部品を省略している。
【００３５】
このようにして、モータ６１と制御部６２とを互いに近接させて互いに固定筒２の周方向に隣接するように配設することにより、両者の電気接続を容易に行い得るようにしているとともに、制御部６２とモータ６１との設置が固定筒２の軸方向に短くなり、固定筒２の軸方向の長さを短くできるようにしている。
【００３６】
オート用入力リング６３は、円筒状のものから構成されている。この実施形態では、オート用入力リング６３は、図６に示すように筒本体６３ａと、ギアリング６３ｂとから構成されている。筒本体６３ａは、その後面に、後述の転動ローラー４２ｂが転動する第２ローラー転動部６３ｄを備えている。
【００３７】
ギアリング６３ｂは、外周の全周に渡って、モータ６１の出力ギア６１ｃと噛合する第１ギア６３ｅを備えている。そして、このギアリング６３ｂは、図１に示すように、筒本体６３ａの前方側に固定的に取り付けられている。
【００３８】
このように構成されたオート用入力リング６３は、固定筒２の外周におけるモータ６１の後方側に、固定筒２に設けられたベアリング２４に後方側から当接するようにして固定筒２の軸まわりに回動自在に配設されている。
【００３９】
又、この状態で、オート用入力リング６３の第１ギア６３ｅとモータ６１の出力ギア６１ｃとが噛合し、出力ギア６１ｃの回動に伴って、オート用入力リング６３が固定筒２の外周を回動するようになっている。
【００４０】
尚、この実施形態では、オート用入力リング６３は、筒本体６３ａと、筒本体６３ａと別体のギアリング６３ｂとから構成されたが、両者を一体的に形成したものであっても良く、適宜変更できる。
【００４１】
マニュアルフォーカス動作部は、図１に示すようにマニュアル用入力リング７６と、マニュアル用入力リング７６を操作するマニュアル駆動操作部材としてのマニュアル操作リング７７とを備えている。
【００４２】
マニュアル用入力リング７６は、図３に示すように円板状のものから構成されており、前面に、後述の転動ローラー４２ｂが転動する第１ローラー転動部７６ａを備えている。
【００４３】
そして、このマニュアル用入力リング７６は、図１に示すように固定筒２の軸方向におけるオート用入力リング６３の後方側に、固定筒２の軸まわりに回動自在に配設されている。
【００４４】
マニュアル操作リング７７は、図１に示すように、円筒状のものから構成され、外周側に、回動操作部７７ｂを備え、内周側に、径方向内側に突設された入力リング保持部７７ａを備えている。
【００４５】
この入力リング保持部７７ａは、円板状のものから構成され、マニュアル用入力リング７６を後方側から、後述の付勢部材１１を介して操作する。
【００４６】
そして、このマニュアル操作リング７７は、固定筒２の外周側に、固定筒２の軸まわりに回動自在に配設されている。又、この状態で、入力リング保持部７７ａは、オート用入力リング６３の後方側に、第２ローラー転動部６３ｄと対向するように配設されている。
【００４７】
次に、入力伝達リング４について説明する。入力伝達リング４は、図３に示すように円筒状のものから構成されており、前端側に、レンズ駆動筒係合用凹部（係合凹部）４４を備えている。
【００４８】
レンズ駆動筒係合用凹部４４は、この実施形態では、入力伝達リング４の周方向に等間隔に配設された２つから構成されており、各レンズ駆動筒係合用凹部（係合凹部）４４は、入力伝達リング４の内周面に、前端面から所定の深さで形成されている。
【００４９】
なお、レンズ駆動筒係合用凹部４４は、２つから構成される形態のものに限らず、１つまたは３つ以上でもよい。又、レンズ駆動筒係合用凹部４４は、２つ以上のものから構成される場合、周方向に等間隔に配設されるのが好ましいが、等間隔に配設されなくてもよい。
【００５０】
又、入力伝達リング４には、入力伝達リング４に保持された少なくとも３つ（この実施形態では、３つ）の連動部材４２が付設されている。
【００５１】
連動部材４２は、入力伝達リング４とオート用入力リング６３とを連動させるとともに、入力伝達リング４とマニュアル用入力リング７６とを連動させるもので、連動部材４２の夫々は、ローラー軸４２ａと、転動ローラー４２ｂとを備えている。各転動ローラー４２ｂは、ローラー軸４２ａに回動自在に支持されている。
【００５２】
又、転動ローラー４２ｂを支持したローラー軸４２ａは、転動ローラー４２ｂを入力伝達リング４の外周側に、その軸方向を固定筒２の軸と直交（光軸と直交）する方向に配設されて入力伝達リング４に取り付けられている。又、この状態で、転動ローラー４２ｂは、入力伝達リング４の軸方向の前後両端面の夫々から軸方向に突出している。又、このようにして入力伝達リング４に取り付けられた３つの連動部材４２は、入力伝達リング４の周方向に等間隔になるように配設されている。
【００５３】
このように構成された入力伝達リング４は、固定筒２の軸方向（光軸方向）におけるオート用入力リング６３とマニュアル用入力リング７６との間に、固定筒２に対して入力伝達リング４が固定筒２の軸まわり（光軸まわり）に回動自在になるように、固定筒２及びレンズ駆動筒５の外周側に配設されている。
【００５４】
又、この状態で、転動ローラー４２ｂは、オート用入力リング６３の第２ローラー転動部６３ｄとマニュアル用入力リング７６の第１ローラー転動部７６ａとの間に配設され、付勢部材１１によって両者に加圧状態で挟持されている。
【００５５】
詳しくは、マニュアル操作リング７７の入力リング保持部７７ａとマニュアル用入力リング７６との間に、波板リング状のスプリングからなる付勢部材１１が設けられており、この付勢部材１１によって、マニュアル用入力リング７６は、前方側のオート用入力リング６３側に付勢されている。
【００５６】
そして、この付勢力により、マニュアル用入力リング７６の第１ローラー転動部７６ａが転動ローラー４２ｂを押圧し、この押圧によって転動ローラー４２ｂがオート用入力リング６３の第２ローラー転動部６３ｄに押し付けられている。
【００５７】
これにより、転動ローラー４２ｂは、第２ローラー転動部６３ｄと第１ローラー転動部７６ａとに、一定の付勢力がかかった状態で挟持されている。尚、転動ローラー４２ｂに押圧されたオート用入力リング６３は、ベアリング２４に受けられた状態に維持される。
【００５８】
次に、レンズ駆動筒５について説明する。レンズ駆動筒５は、図３、図５に示すように３つのバヨネット係合部５１と、３つのカム溝５２と備えている。バヨネット係合部５１は、レンズ駆動筒５を固定筒２に、固定筒２の軸まわり（光軸まわり）に回動可能且つ軸方向移動不能に係合する。
【００５９】
この実施形態では、バヨネット係合部５１は、レンズ駆動筒５の前部側における周方向の３箇所に配設されている。各バヨネット係合部５１は、固定筒２のバヨネット係合用凸部２３が摺動自在に係合する係合溝５１ａと、バヨネット係合用凸部２３を係合溝５１ａに入れる溝入口５１ｂとを備えている。
【００６０】
係合溝５１ａは、レンズ駆動筒５の内周面に、周方向に所定の長さで形成されている。溝入口５１ｂは、レンズ駆動筒５の前端面から所定の深さで、係合溝５１ａの一端と連通するように形成されている。
【００６１】
カム溝５２は、レンズ駆動筒５の回動に際してレンズ群３１、３２を固定筒２の軸方向に駆動させるためのもので、周方向に等間隔に配設されている。各カム溝５２は、軸方向及び周方向に対して所定の角度をなして所定の長さで延ばされた長穴状のものから構成されている。
【００６２】
又、レンズ駆動筒５は、レンズ駆動筒５の前部側の外周面におけるレンズ駆動筒係合用凹部４４に対応する位置に、レンズ駆動筒係合用凹部４４と回動不能に係合する２つのリング係合用凸部（係合凸部）５３を備えている。各リング係合用凸部５３は、周方向の幅がレンズ駆動筒係合用凹部４４の幅と同幅に形成され、レンズ駆動筒係合用凹部４４に周方向移動不能かつ軸方向移動可能に嵌挿する。
【００６３】
なお、リング係合用凸部５３は、この実施形態では、レンズ駆動筒５の外周から一体的に突設されているが、この形態のものに限らず、例えばリング係合用凸部５３は、レンズ駆動筒５と別体の係合ピンから構成され、係合ピンがレンズ駆動筒５に取り付けられてもよい。
【００６４】
そして、レンズ駆動筒５は、図１に示すように固定筒２の後部側の外周側に回動自在に挿入されているとともに、係合溝５１ａに固定筒２のバヨネット係合用凸部２３が摺動可能に挿入されている。又、この状態で、レンズ駆動筒５は、径方向における固定筒２と入力伝達リング４との間に配設されて、レンズ駆動筒５のリング係合用凸部５３がレンズ駆動筒係合用凹部４４に嵌挿した状態になっている。
【００６５】
次に、レンズ保持部材７について説明する。レンズ保持部材７は、この実施形態では、図１に示すようにレンズ保持部材本体７１と、レンズ保持部材本体７１に取り付けられた摺動軸７５と、レンズ保持部材本体７１の前部側に連結された第１レンズ群保持枠７２と、レンズ保持部材本体７１の後部側に連結された第２レンズ群保持枠７３とを備えている。
【００６６】
レンズ保持部材本体７１は、円筒状を呈し、前端側の内周に、第１レンズ群保持枠７２と連結する第１保持枠連結用ネジ部７１ａを、後端側の内周に、第２レンズ群保持枠７３と連結する第２保持枠連結用ネジ部７１ｂを、それぞれ備えている。
【００６７】
又、レンズ保持部材本体７１は、後部側に、摺動軸７５を取り付けた摺動軸取付用雌ネジ部７１ｃを備えている。摺動軸取付用雌ネジ部７１ｃは、レンズ保持部材本体７１の周方向に沿って等間隔に配設された３つを備えている（図１では、１つだけ表れている）。
【００６８】
摺動軸７５は、摺動軸取付用雌ネジ部７１ｃのそれぞれに取り付けられた同構成を採る３つから構成されている。
【００６９】
各摺動軸７５は、軸方向の一端側に、摺動軸取付用雌ネジ部７１ｃに螺合する雄ネジ部７５ａを備え、他端側に、レンズ駆動筒５のカム溝５２を摺動するカム溝摺動部７２ｃを備えているとともに、カム溝摺動部７２ｃと雄ネジ部７５ａとの間に、固定筒２の直進案内溝２２を摺動する案内溝摺動部７５ｄを備えている。
【００７０】
第１レンズ群保持枠７２は、円筒状を呈し、内周側に、後述の第１レンズ群３１を保持したレンズ保持部７２ｂを備えている。又、第１レンズ群保持枠７２は、外周側の後部に、本体連結用雄ネジ部７２ａを備えている。
【００７１】
そして、この本体連結用雄ネジ部７２ａがレンズ保持部材本体７１の第１保持枠連結用ネジ部７１ａに螺合され、これにより、第１レンズ群保持枠７２がレンズ保持部材本体７１の前部側に連結されている。
【００７２】
第２レンズ群保持枠７３は、円筒状を呈し、内周側に、後述の第２レンズ群３２を保持したレンズ保持部７３ａを備えている。又、第２レンズ群保持枠７３は、外周側に、本体連結用雄ネジ部７３ｂを備えている。
【００７３】
そして、この本体連結用雄ネジ部７３ｂがレンズ保持部材本体７１の第２保持枠連結用ネジ部７１ｂに螺合され、これにより、第２レンズ群保持枠７３がレンズ保持部材本体７１の後部側に連結されている。
【００７４】
なお、レンズ保持部材７の形状、個数等は、特に限定されず、適宜変更できる。例えば複数のレンズ保持部材を備えたものとするとともに、それに対応する個数のカム溝及び直進案内溝を設けるようにしてもよい。
【００７５】
次に、レンズ群３１、３２について説明する。レンズ群は、この実施形態では、第１レンズ群保持枠７２のレンズ保持部７３ａに保持された第１レンズ群３１と、第２レンズ群保持枠７３のレンズ保持部７３ａに保持された第２レンズ群３２とを備えている。これらの第１レンズ群３１及び第２レンズ群３２は、１又は複数のレンズから構成される。
【００７６】
又、この実施形態では、第２レンズ群３２は、後部側（一端側）が第２レンズ群保持枠７３の後端から後方に突出されたレンズ突出部３３を備えている。又、レンズ突出部３３には、後端に遮光部材９が付設されている。
【００７７】
以上のように構成されたレンズ鏡胴１は、例えば、図示しないオートフォーカススイッチを入り操作する。これにより、制御部６２の制御に従って、モータ６１へ電力が供給され、それに伴い出力ギア６１ｃが回動する。
【００７８】
又、この出力ギア６１ｃの回動に伴って、その出力ギア６１ｃと噛合したオート用入力リング６３が回動する。また、この回動に伴い、転動ローラー４２ｂが第２ローラー転動部６３ｄを転動する。その際、転動ローラー４２ｂが第２ローラー転動部６３ｄとマニュアル用入力リング７６の第１ローラー転動部７６ａとに挟持されているとともに、マニュアル用入力リング７６が付勢部材１１の付勢力等によって回動が規制されているため、転動ローラー４２ｂは自転しながら、固定筒２のまわりを公転し、これにより、転動ローラー４２ｂを保持した入力伝達リング４が回動する。
【００７９】
そして、その入力伝達リング４の回動によって、リング係合用凸部５３とレンズ駆動筒係合用凹部４４とによって回動不能に係合されたレンズ駆動筒５が回動する。
【００８０】
又、レンズ駆動筒５の回動によって、固定筒２の直進案内溝２２及びレンズ駆動筒５のカム溝５２夫々に入り込んだ摺動軸７５がそれらの溝２２、５２を摺動する。そして、摺動軸７５の摺動に伴い、レンズ保持部材７が固定筒２の軸方向に移動し、レンズ保持部材７に保持されたレンズ群３１、３２が固定筒２の軸方向に移動する。
【００８１】
一方、この状態から、マニュアル操作リング７７を手で回動操作する。これにより、マニュアル用入力リング７６が回動し、第１ローラー転動部７６ａを転動ローラー４２ｂが転動する。その際、転動ローラー４２ｂを第１ローラー転動部７６ａと挟持したオート用入力リング６３は、モータ６１と噛合して回動できないため、転動ローラー４２ｂは自転しながら、固定筒２のまわりを公転し、入力伝達リング４全体が回動する。以下、上述したと同様に、レンズ駆動筒５が回動し、そのレンズ駆動筒５の回動によって、固定筒２の直進案内溝２２及びレンズ駆動筒５のカム溝５２夫々に入り込んだ摺動軸７５がそれらの溝２２、５２を摺動する。そして、摺動軸７５の摺動に伴い、レンズ保持部材７が固定筒２の軸方向に移動し、レンズ保持部材７に保持されたレンズ群３１、３２がレンズ保持部材７が固定筒２の軸方向に移動する。
【００８２】
以上のように構成されることにより、入力伝達リングはモータに対してレンズ駆動筒と同じ側となる光軸方向におけるモータの一方側に配設されているため、従来のように連結レバ−を用いることなくレンズ駆動筒と入力伝達リングとを回動力伝達可能に連結できる。
【００８３】
また、入力伝達リングとレンズ駆動筒とは、電装部材に対して光軸方向の一方側に配設されているため、入力伝達リングとレンズ駆動筒とは電装部材と干渉することなく連結できる。
【００８４】
又、モータは、その一部又は全部が電装部材の周方向側に配設されているため、レンズ鏡胴の光軸方向の長さを抑えることができ、小型化できる。
【００８５】
又、レンズ駆動筒は、固定筒の外周側に、前記固定筒に対して回動自在に配設され、入力伝達リングの一部又は全体が、レンズ駆動筒の外周側に配設されているため、レンズ鏡胴の径方向の長さを抑えることができ、小型化できる。
【００８６】
又、レンズ駆動筒は、リング係合用凸部を備え、入力伝達リングは、リング係合用凸部に周方向移動不能に係合するレンズ駆動筒係合用凹部を備えているため、係合凸部と係合凹部とによって、入力伝達リングとレンズ駆動筒とは、確実に回動力伝達可能に連結される。又、入力伝達リングとレンズ駆動筒とが容易に回動力伝達可能に連結できる。
【００８７】
また、入力伝達リングとレンズ駆動筒は、光軸方向移動可能に嵌挿されているため、入力伝達リングは、バヨネット部で光軸位置が決まるレンズ駆動筒から光軸方向に規制を受けることなく、光軸方向位置を定めることができ、入力伝達効率を落とすことなく動作できる。具体的には、波ワッシャ１１の力が安定するとともに、オート用リングとローラーが負荷なく当接できる。
【００８８】
次に、レンズユニット１００について説明する。レンズユニット１００は、図８に示すようにレンズ鏡胴１と、撮像素子１０１とを備えている。レンズ鏡胴１は、上述のものと同構成を採っている。
【００８９】
撮像素子１０１は、全体を図示していない撮像光学系によって結像された物体（被写体）の光学像における光量に応じてＲ（赤）、Ｇ（緑）、Ｂ（青）の各成分の画像信号に光電変換して所定の画像処理回路（不図示）へ出力する素子である。撮像素子１０１は、例えば、ＣＣＤ型のイメージセンサや、ＣＭＯＳ型のイメージセンサ等である。
【００９０】
そして、撮像素子１０１は、レンズ鏡胴１の結像位置に撮像素子１０１の受光面１０１ａが位置するように、第２レンズ群３２の後方側に配設されている。
【００９１】
尚、上記実施形態では、入力伝達リング４とレンズ駆動筒５とを係合する係合凹部（レンズ駆動筒係合用凹部４４）が入力伝達リング４に形成され、係合凸部（リング係合用凸部５３）がレンズ駆動筒５に形成されたが、この形態のものに限らず、適宜変更でき、入力伝達リング４に係合凸部が形成され、レンズ駆動筒５に係合凸部が形成されてもよい。
【００９２】
又、上記実施形態では、固定筒２の外周側に配設されたが、この形態のものに限らず、適宜変更でき、レンズ駆動筒５は、固定筒２の内周側に配設されてもよい。
【００９３】
又、レンズ駆動筒５が固定筒２の内周側に配設される場合、例えば係合凹部と係合凸部とは次のように構成できる。
【００９４】
レンズ駆動筒５は、図７に示すようにレンズ駆動筒本体５０と、レンズ駆動筒本体５０と別体の係合凸部１５３とを備えている。係合凸部１５３は、円柱状を呈し、その一端側に雄ネジ部１５３ａを備え、他端側に、入力伝達リング４に係合する係合部１５３ｂを備えている。
【００９５】
そして、雄ネジ部１５３ａが、レンズ駆動筒本体５０に設けられた雌ネジ部５０ａに連結されることにより、係合部１５３ｂがレンズ駆動筒本体５０の外周から径方向外側に突出している。
【００９６】
又、係合部１５３ｂは、レンズ駆動筒５が固定筒２の内周側に配設される際に、固定筒２に設けられた摺動溝１２１を挿通するように配設されている。この摺動溝１２１は、係合部１５３ｂが移動可能に挿通できる幅で、図示しないが固定筒２の周方向に沿って所定の長さで形成されている。この構成では、摺動溝１２１は係合部１５３ｂには当接せず隙間があいている。
【００９７】
なお、レンズ駆動筒と固定筒とのバヨネット結合を廃止し、上記係合部１５３ｂと摺動溝１２１を係合させるようにしてもよい。この場合は、係合凸部１５３と凹部４４は２つ以上を略等分に設けることが好ましい。
【００９８】
入力伝達リング４の係合凹部であるレンズ駆動筒係合用凹部４４は、係合凸部１５３の係合部１５３ｂが周方向移動不能に嵌挿し得るように形成されている。
【００９９】
そして、このレンズ駆動筒係合用凹部４４に、摺動溝１２１を挿通した係合部１５３ｂの先端部が嵌挿されている。
【０１００】
これにより、レンズ駆動筒５は、固定筒２の内周側に回動自在に配設されるとともに、入力伝達リング４と回動力伝達可能に連結されている。
【０１０１】
尚、この場合においても、レンズ駆動筒５に係合凹部を設け、入力伝達リング４に係合凸部を設けてもよい。
【０１０２】
又、上記実施形態では、固定筒２に直進案内溝２２を設け、レンズ駆動筒５にカム溝５２を設けたが、この形態のものに限らず、適宜変更できる。例えば固定筒２にカム溝５２を設け、レンズ駆動筒５に直進案内溝を設けてもよい。
【符号の説明】
【０１０３】
１    レンズ鏡胴
２    固定筒
４    入力伝達リング
５    レンズ駆動筒
７    レンズ保持部材
３１、３２    レンズ群
７１    レンズ保持部材本体
７２    第１連結部材
７３    第２連結部材
１００    レンズユニット
１０１    撮像素子
【図１】
2015102649.tif 000003
【図２】
2015102649.tif 000004
【図３】
2015102649.tif 000005
【図４】
2015102649.tif 000006
【図５】
2015102649.tif 000007
【図６】
2015102649.tif 000008
【図７】
2015102649.tif 000009
【図８】
2015102649.tif 000010